(57)【要約】【課題】複数の文献データに含まれているイメージデータの一覧を表示し、ユーザのイメージデータの対比作業を支援する。【解決手段】本発明のプログラム５は、少なくとも一つのイメージデータを含みイメージデータのうち代表のイメージデータに代表タグが付されている複数の文献データ３１〜３ｎを記録手段２から読み出す手段５ａ、複数の文献データ３１〜３ｎから代表タグの付されているイメージデータを選択し、選択された複数のイメージデータを一覧表示する代表表示手段５ｃ、ユーザから一覧表示に対する並び替え命令を受け付け、一覧表示されている複数のイメージデータを並び替え命令にしたがった配置で表示する並び替え表示手段５ｅとして機能させる。【選択図】    図１
2004213482.tif 000002
【特許請求の範囲】
【請求項１】
コンピュータを、
少なくとも一つのイメージデータを含み前記イメージデータのうち代表のイメージデータに代表タグが付されている複数の文献データを、記録手段から読み出す手段、
前記複数の文献データから前記代表タグの付されているイメージデータを選択し、選択された複数のイメージデータを一覧表示する代表表示手段、
ユーザから一覧表示に対する並び替え命令を受け付け、一覧表示されている複数のイメージデータを前記並び替え命令にしたがった配置で表示する並び替え表示手段
として機能させるためのイメージ表示プログラム。
【請求項２】
請求項１記載のイメージ表示プログラムにおいて、
前記代表表示手段は、前記ユーザからページ送り命令を受け付けた場合に、前記代表タグの付されている複数のイメージデータのうち未表示のイメージデータを所定時間経過する度に一覧表示する
ことを特徴とするイメージ表示プログラム。
【請求項３】
コンピュータを、
少なくとも一つのイメージデータを含み前記イメージデータのうち代表のイメージデータに代表タグが付されており前記イメージデータのうち斜視図に斜視図タグが付されている複数の文献データを、記録手段から読み出す手段、
前記複数の文献データから前記代表タグの付されているイメージデータを選択し、選択された複数のイメージデータを一覧表示する代表表示手段、
ユーザから斜視図表示命令を受け付けた場合に、前記複数の文献データから前記斜視図タグの付されているイメージデータを選択し、選択された複数のイメージデータを一覧表示する斜視図表示手段、
前記ユーザから一覧表示に対する並び替え命令を受け付け、一覧表示されている複数のイメージデータを前記並び替え命令にしたがった配置で表示する並び替え表示手段
として機能させるためのイメージ表示プログラム。
【請求項４】
請求項３記載のイメージ表示プログラムにおいて、
前記斜視図表示手段は、前記ユーザからページ送り命令を受け付けた場合に、前記斜視図タグの付されている複数のイメージデータのうち未表示のイメージデータを所定時間経過する度に一覧表示する
ことを特徴とするイメージ表示プログラム。
【請求項５】
請求項１乃至請求項４のいずれか記載のイメージ表示プログラムにおいて、
前記複数の文献データは、それぞれ書誌データを含み、
コンピュータを、
ポインティングデバイスの指示位置に表示されているイメージデータに対応する書誌データを選択し、サブウィンドウ上に表示する手段として機能させるためのイメージ表示プログラム。
【請求項６】
請求項１乃至請求項５のいずれか記載のイメージ表示プログラムにおいて、
コンピュータを、
前記ユーザから文献イメージ表示命令とイメージデータの指定とを受け付けた場合に、この指定されたイメージデータを含む文献データに含まれている全てのイメージデータを一覧表示する手段として機能させるためのイメージ表示プログラム。
【請求項７】
請求項１乃至請求項６のいずれか記載のイメージ表示プログラムにおいて、
コンピュータを、
前記ユーザから文献表示命令とイメージデータの指定とを受け付けた場合に、この指定されたイメージデータを含む文献データに含まれている全てのデータを表示する手段として機能させるためのイメージ表示プログラム。
【請求項８】
少なくとも一つのイメージデータを含み前記イメージデータのうち代表のイメージデータに代表タグが付されている複数の文献データを、記録手段から読み出す手段と、
前記複数の文献データから前記代表タグの付されているイメージデータを選択し、選択された複数のイメージデータを一覧表示する代表表示手段と、
ユーザから一覧表示に対する並び替え命令を受け付け、一覧表示されている複数のイメージデータを前記並び替え命令にしたがった配置で表示する並び替え表示手段と
を具備するイメージ表示システム。
【請求項９】
少なくとも一つのイメージデータを含み前記イメージデータのうち代表のイメージデータに代表タグが付されており前記イメージデータのうち斜視図に斜視図タグが付されている複数の文献データを、記録手段から読み出す手段と、
前記複数の文献データから前記代表タグの付されているイメージデータを選択し、選択された複数のイメージデータを一覧表示する代表表示手段と、
ユーザから斜視図表示命令を受け付けた場合に、前記複数の文献データから前記斜視図タグの付されているイメージデータを選択し、選択された複数のイメージデータを一覧表示する斜視図表示手段と、
前記ユーザから一覧表示に対する並び替え命令を受け付け、一覧表示されている複数のイメージデータを前記並び替え命令にしたがった配置で表示する並び替え表示手段と
を具備するイメージ表示システム。
【請求項１０】
請求項８又は請求項９記載のイメージ表示システムにおいて、
前記複数の文献データは、それぞれ書誌データを含み、
ポインティングデバイスの指示位置に表示されているイメージデータに対応する書誌データを選択し、サブウィンドウ上に表示する手段を具備するイメージ表示システム。
【請求項１１】
コンピュータにより、
少なくとも一つのイメージデータを含み前記イメージデータのうち代表のイメージデータに代表タグが付されている複数の文献データを、記録手段から読み出し、
前記複数の文献データから前記代表タグの付されているイメージデータを選択し、選択された複数のイメージデータを一覧表示し、
ユーザから一覧表示に対する並び替え命令を受け付け、一覧表示されている複数のイメージデータを前記並び替え命令にしたがった配置で表示する
ことを特徴とするイメージ表示方法。
【請求項１２】
コンピュータにより、
少なくとも一つのイメージデータを含み前記イメージデータのうち代表のイメージデータに代表タグが付されており前記イメージデータのうち斜視図に斜視図タグが付されている複数の文献データを、記録手段から読み出し、
前記複数の文献データから前記代表タグの付されているイメージデータを選択するか又は前記複数の文献データから前記斜視図タグの付されているイメージデータを選択し、選択された複数のイメージデータを一覧表示し、
前記ユーザから一覧表示に対する並び替え命令を受け付け、一覧表示されている複数のイメージデータを前記並び替え命令にしたがった配置で表示する
ことを特徴とするイメージ表示方法。
【請求項１３】
請求項１１又は請求項１２記載のイメージ表示方法において、
前記複数の文献データは、それぞれ書誌データを含み、
前記選択された複数のイメージデータを一覧表示した後、ポインティングデバイスによる指示位置に表示されているイメージデータに対応する書誌データを選択し、サブウィンドウ上に表示する
ことを特徴とするイメージ表示方法。
【発明の詳細な説明】
【０００１】
【発明の属する技術分野】
本発明は、複数の文献データに含まれているイメージデータの一覧を表示するためのイメージ表示プログラム及びシステム並びに方法に関する。
【０００２】
【従来の技術】
イメージデータを含む文献データには、例えば電子化された意匠公報（以下、「意匠公報データ」）や電子化された商標公報（以下、「商標公報データ」という）などがある。
【０００３】
特許庁によって発行される意匠公報データには意匠のイメージデータが含まれ、商標公報データには商標のイメージデータが含まれる。
【０００４】
意匠公報データはＣＤ−ＲＯＭに記録される。このＣＤ−ＲＯＭには、ビューアが含まれている。
【０００５】
ユーザは、検索された意匠公報データの書誌事項に関する目次から任意に意匠公報データを選択し、内容を確認する。
【０００６】
意匠公報データに含まれるイメージデータを表示させる場合にも、同様に、意匠公報データの書誌事項に関する目次から任意に意匠公報データを選択し、イメージデータを表示する必要がある。
【０００７】
商標公報データについても同様である。
【０００８】
特許文献１（特開平１０−１６２０１５号公報）には、特許公報の図形データを表示する装置が記載されている。
【０００９】
特許文献２（特開２０００−２７６４７４号公報）には、データベースから検索された複数の代表画像を表示する装置が記載されている。
【００１０】
特許文献３（特開平１１−１７５５３３号公報）には、検索条件に該当する画像データを抽出し、一覧表示する装置が記載されている。
【００１１】
【特許文献１】
特開平１０−１６２０１５号公報
【００１２】
【特許文献２】
特開２０００−２７６４７４号公報
【００１３】
【特許文献３】
特開平１１−１７５５３３号公報
【００１４】
【発明が解決しようとする課題】
ユーザは、意匠公報データに含まれるイメージデータを対比したい場合、上述したように、意匠公報データの書誌事項に関する目次の表示、意匠公報データの選択、イメージデータの確認という手順を繰り返す必要がある。また、意匠公報データの数は膨大でありイメージデータの対比が必要な回数は多くなる。
【００１５】
したがって、従来のビューワによるイメージデータの表示手順では、意匠公報データに含まれるイメージデータを対比するユーザの労力が大きくなる。
【００１６】
商標公報データの表示についても同様の問題がある。
【００１７】
上記特許文献１では、一つの特許公報に含まれている複数の図形データが一覧表示されるが、異なる特許公報に含まれる図形データは一覧表示されない。
【００１８】
上記特許文献２、３では、検索された画像の一覧が表示される。特に特許文献２では、代表画像が表示される。
【００１９】
しかしながら、上記特許文献２、３では、一覧表示後、ユーザによるイメージデータの対比作業については何ら考慮されていない。
【００２０】
本発明は、以上のような実情に鑑みてなされたもので、複数の文献データに含まれているイメージデータの一覧を表示し、ユーザのイメージデータの対比作業を支援するイメージ表示プログラム及びシステム並びに方法を提供することを目的とする。
【００２１】
【課題を解決するための手段】
本発明を実現するにあたって講じた具体的手段について以下に説明する。
【００２２】
第１の発明のイメージ表示プログラムは、コンピュータを、少なくとも一つのイメージデータを含みイメージデータのうち代表のイメージデータに代表タグが付されている複数の文献データを記録手段から読み出す手段、複数の文献データから代表タグの付されているイメージデータを選択し、選択された複数のイメージデータを一覧表示する代表表示手段、ユーザから一覧表示に対する並び替え命令を受け付け、一覧表示されている複数のイメージデータを並び替え命令にしたがった配置で表示する並び替え表示手段として機能させる。
【００２３】
なお、代表表示手段は、ユーザからページ送り命令を受け付けた場合に、代表タグの付されている複数のイメージデータのうち未表示のイメージデータを所定時間経過する度に一覧表示するとしてもよい。
【００２４】
第２の発明のイメージ表示プログラムは、コンピュータを、少なくとも一つのイメージデータを含みイメージデータのうち代表のイメージデータに代表タグが付されておりイメージデータのうち斜視図に斜視図タグが付されている複数の文献データを記録手段から読み出す手段、複数の文献データから代表タグの付されているイメージデータを選択し、選択された複数のイメージデータを一覧表示する代表表示手段、ユーザから斜視図表示命令を受け付けた場合に、複数の文献データから斜視図タグの付されているイメージデータを選択し、選択された複数のイメージデータを一覧表示する斜視図表示手段、ユーザから一覧表示に対する並び替え命令を受け付け、一覧表示されている複数のイメージデータを並び替え命令にしたがった配置で表示する並び替え表示手段として機能させる。
【００２５】
なお、斜視図表示手段は、ユーザからページ送り命令を受け付けた場合に、斜視図タグの付されている複数のイメージデータのうち未表示のイメージデータを所定時間経過する度に一覧表示するとしてもよい。
【００２６】
なお、上記各発明において、複数の文献データは、それぞれ書誌データを含み、コンピュータを、ポインティングデバイスによる指示位置に表示されているイメージデータに対応する書誌データを選択し、サブウィンドウ上に表示する手段として機能させるとしてもよい。
【００２７】
また、上記各発明において、コンピュータを、ユーザから文献イメージ表示命令とイメージデータの指定とを受け付けた場合に、この指定されたイメージデータを含む文献データに含まれている全てのイメージデータを一覧表示する手段として機能させるとしてもよい。
【００２８】
また、上記各発明において、コンピュータを、ユーザから文献表示命令とイメージデータの指定とを受け付けた場合に、この指定されたイメージデータを含む文献データに含まれている全てのデータを表示する手段として機能させるとしてもよい。
【００２９】
本発明を適用することにより、複数の文献データに含まれているイメージデータの対比作業が容易になる。
【００３０】
上記のイメージ表示プログラム又はこのプログラムを記録した記録媒体を用いることによって、上記各機能を有していない計算機、計算機システム、サーバ、クライアントに対しても、簡単に上記各手段としての機能を付加することができる。
【００３１】
本発明の各手段をイメージ表示システムに具備することにより、同様の作用効果を得ることができる。
【００３２】
本発明のイメージ表示プログラム又はこのプログラムを記録した記録媒体をコンピュータに適用することによって、複数の文献データに含まれているイメージデータの対比作業を容易に行うためのイメージ表示方法がコンピュータ上で実施される。
【００３３】
【発明の実施の形態】
以下、図面を参照しながら本発明の実施の形態について説明する。
【００３４】
以下の各図において同一の部分については同一の符号を付してその説明を省略するか簡単に説明し、異なる部分についてのみ詳しく説明する。
【００３５】
本実施の形態においては、意匠公報データの表示を例として説明する。
【００３６】
しかしながら、本実施の形態と同様の構成及び動作は、例えば特許、実用新案、商標などの他の公報データ、その他様々なイメージデータを含む文献データに対して同様に適用可能である。
【００３７】
図１は、本実施の形態に係るイメージ表示システムの構成の一例を示すブロック図である。
【００３８】
イメージ表示システム１は、記録装置２を具備する。記録装置２としては、例えば内部メモリ、ハードディスクなどが用いられる。
【００３９】
記録装置２には、複数の意匠公報データ３１〜３ｎが記録されている。複数の意匠公報データ３１〜３ｎは、ユーザからの検索条件に基づく検索の結果得られたデータであってもよい。
【００４０】
複数の意匠公報データ３１〜３ｎには、少なくとも一つのイメージデータと書誌事項を示す書誌データとが含まれる。
【００４１】
各意匠公報データ３１〜３ｎに含まれているイメージデータのうち、代表図に関するイメージデータに代表タグが付され、斜視図に関するイメージデータに斜視図タグが付されている。代表図に関するイメージデータと斜視図に関するイメージデータが同じ場合もある。
【００４２】
なお、代表タグが付されたイメージデータを含まない意匠公報データについては、図番号の最も小さいイメージデータを代表図としてもよく、斜視図タグの付されたイメージデータを代表図してもよい。
【００４３】
イメージ表示システム１は、記録媒体４に記録されたイメージ表示プログラム５を読み込んで実行する。
【００４４】
イメージ表示プログラム５は、イメージ表示システム１に読み込まれ、実行されると、読み出し部５ａ、設定受付部５ｂ、代表表示部５ｃ、斜視図表示部５ｄ、並び替え表示部５ｅ、書誌表示部５ｆ、文献イメージ表示部５ｇ、文献表示部５ｈ、サムネイル部５ｉとしての機能を実現する。
【００４５】
なお、この図１に示すイメージ表示システム１の各構成要素５ａ〜５ｉは、ハードウェアにより実現させてもよい。
【００４６】
読み出し部５ａは、記録装置２に記録された複数の意匠公報データ３１〜３ｎを読み出す。
【００４７】
設定受付部５ｂは、目次一覧画面を表示し、目次一覧画面上で行われるユーザ設定を受け付ける。ユーザ設定には、例えば、全文献の表示、表示する文献データの選択、１画面上に表示するイメージデータの数、代表図を表示するか斜視図を表示するかの設定などがある。
【００４８】
代表表示部５ｃは、ユーザ設定にしたがって、全ての複数の意匠公報データ３１〜３ｎ又はユーザによって目次一覧画面上で選択された意匠公報データから、代表タグの付されているイメージデータを選択する。
【００４９】
代表表示部５ｃは、意匠公報データ中に代表タグの付されたイメージデータがない場合、代表タグの付されたイメージデータの代わりにユーザ設定にしたがって図番号の最も小さいイメージデータ又は斜視図タグの付されたイメージデータを選択する。
【００５０】
そして、代表表示部５ｃは、選択されたイメージデータを画面上に配置した代表一覧画面を表示する。
【００５１】
斜視図表示部５ｄは、ユーザ設定にしたがって、全ての複数の意匠公報データ３１〜３ｎ又はユーザによって目次一覧画面上で選択された意匠公報データから、斜視図タグの付されているイメージデータを選択する。
【００５２】
そして、斜視図表示部５ｄは、選択されたイメージデータを画面上に配置した斜視図一覧画面を表示する。
【００５３】
代表表示部５ｃ及び斜視図表示部５ｄは、ユーザからページ送り命令を受け付けた場合に、選択されたイメージデータのうち未表示のイメージデータの一覧を所定時間経過する度に表示する。本実施の形態においては、未表示のイメージデータの一覧表示は、所定時間が経過する度に自動的に行われるとしているが、ユーザからページ送り命令を受け付けた時点で行うとしてもよい。
【００５４】
一画面上に表示されるイメージデータの数は、目次一覧画面から受け付けられたユーザ設定にしたがう。表示されるイメージデータのサイズは、一画面上に表示されるイメージデータの数から自動的に最適なサイズに変更される。
【００５５】
並び替え表示部５ｅは、表示されたイメージデータを並び替えるための並び替え命令を受け付ける。
【００５６】
並び替え表示部５ｅは、並び替え命令にしたがって、一覧表示されているイメージデータの配置を変更する。
【００５７】
例えば、移動対象のイメージデータをマウスによりドラッグし、移動先でリリースすることにより、移動対象のイメージデータと移動先にあるイメージデータとの位置を入れ替える。
【００５８】
また、対比させるイメージデータを指定してしおりタグを付し、並び替えを命令することにより、しおりタグの付されたイメージデータをあつめて表示する。
【００５９】
書誌表示部５ｆは、ポインティングデバイスによる指示位置を検出し、指示位置に表示されているイメージデータを含む文献データを検出し、検出した文献データに含まれている書誌データをツールチップ（サブウィンドウ）に表示する。
【００６０】
文献イメージ表示部５ｇは、ユーザから文献イメージ表示命令とイメージデータの指定とを受け付けた場合に、指定されたイメージデータと同一の文献データに含まれている全てのイメージデータを画面上に配置した文献イメージ一覧画面を表示する。
【００６１】
文献表示部５ｈは、ユーザから文献表示命令とイメージデータの指定とを受け付けた場合に、指定されたイメージデータを含む文献データに含まれている全てのデータを示す文献表示画面を表示する。
【００６２】
サムネイル部５ｉは、ユーザからサムネイル命令とイメージデータの指定とを受け付けた場合に、指定されたイメージデータと同一の文献データに含まれているイメージデータについてのサムネイル画面を表示する。サムネイル部５ｉは、サムネイル画面上でユーザの指示にしたがってイメージデータの拡大、縮小、回転などの変換を行い、変換後のイメージデータを表示する。
【００６３】
図２は、目次一覧画面から斜視図一覧画面への遷移の一例を示す図である。なお、目次一覧画面から代表一覧画面に遷移する場合も同様である。
【００６４】
目次一覧画面６上には、全文献表示の設定部６ａ、表示する文献データの選択受付部６ｂ、１画面上に表示するイメージデータの数の設定受付部６ｃ、代表図表示設定部６ｄ、斜視図表示設定部６ｅがある。
【００６５】
本実施の形態では、ユーザは、例えば表示させる意匠公報データを選択し、１画面上に表示させるイメージデータは８個と設定し、斜視図を表示すると設定したとする。
【００６６】
斜視図一覧画面７上には、目次一覧画面６において選択された意匠公報データから斜視図タグの付されたイメージデータが選択され、表示される。
【００６７】
本実施の形態においては、一画面上に表示可能なイメージデータの集合を１ページとして扱う。イメージ表示システム１は、３ページ分のイメージデータをメモリ上に展開し、ページ制御（次ページ表示、前ページ表示など）をスムーズに実行する。
【００６８】
斜視図一覧画面７上で、イメージデータ上にマウスポインタを移動させると、ツールチップ７ａに意匠公報データの書誌データが表示される。表示されている各イメージデータの下には、意匠公報データのＩＤが表示されている。
【００６９】
図３は、斜視図一覧画面７からイメージデータの並び替え後の斜視図一覧画面８への遷移の一例を示す図である。
【００７０】
ユーザは斜視図一覧画面７上に表示されているイメージデータのうち、並び替えて対比したいイメージデータの下のＩＤをマウスでクリックする。すると、クリックされたＩＤの色が変更され、クリックされたＩＤの示すイメージデータに対して並び替え対象を示すしおりタグが付される。
【００７１】
ユーザは、メニューバーの「表示」をクリックし、プルダウンメニューの「並び替え」をクリックする。すると、しおりタグの付されたイメージデータが集められた状態で表示される。
【００７２】
また、ユーザは、移動対象のイメージデータをマウスでドラッグし、移動先でリリースする。すると、移動対象のイメージデータと移動先に表示されていたイメージデータとが入れ替わる。
【００７３】
図４は、ページ送り命令の受け付け前後の斜視図一覧画面７の一例を示す図である。
【００７４】
まず、斜視図一覧画面７のメニューバーには「自動ページ送り」ボタンが表示されている。
【００７５】
自動ページ送りを設定する場合、ユーザは、メニューバーの「表示」をクリックしプルダウンメニューのうち「自動ページ送り」メニューをクリックするか、あるいはメニューバー上の「自動ページ送り」ボタンをクリックする。
【００７６】
これにより、設定された間隔でイメージデータのページが切り替えられるとともに、メニューバー上の「自動ページ送り」ボタンが「自動ページ送り中止」ボタンに変更される。
【００７７】
一方、自動ページ送りから自動ページ送り中止に設定が変更される場合、ユーザは、メニューバーの「表示」をクリックしプルダウンメニューのうち「自動ページ送り中止」メニューをクリックするか、あるいはメニューバー上の「自動ページ送り中止」ボタンをクリックする。
【００７８】
これにより、表示されているページで自動ページ送りが中止されるとともに、メニューバー上の「自動ページ送り中止」ボタンが「自動ページ送り」ボタンに変更される。
【００７９】
再び、ユーザによって、メニューバーの「表示」がクリックされプルダウンメニューのうち「自動ページ送り」メニューがクリックされるか、あるいはメニューバー上の「自動ページ送り」ボタンがクリックされると、現在表示されているページから自動ページ送りが再開される。
【００８０】
図５は、斜視図一覧画面７から文献イメージ表示画面９への遷移の一例を示す図である。
【００８１】
斜視図一覧図面７のいずれかのイメージデータにマウスポインタをあわせて、マウスの右ボタンをクリックすると、プルダウンメニュー７ｂが表示される。
【００８２】
プルダウンメニュー７ｂの中から「文献イメージ表示」をクリックすると、指定されたイメージデータと同一の意匠公報データに含まれている全てのイメージデータを表示する文献イメージ表示画面９が表示される。
【００８３】
図６は、文献表示画面の一例を示す図である。
【００８４】
上記図５に示した斜視図一覧画面７のプルダウンメニュー７ｂの中から「文献表示」をクリックすると、指定されたイメージデータを含む意匠公報データに含まれる全てのデータを表示する文献表示画面１０が表示される。文献データの表示画面のうち一覧表示ボタン１０ａを押すと、再び斜視図一覧画面７が表示される。
【００８５】
図７は、サムネイル画面の一例を示す図である。
【００８６】
上記図５に示した斜視図一覧画面７のプルダウンメニュー７ｂの中から「サムネイル表示」をクリックすると、指定されたイメージデータと同一の意匠公報データに含まれているイメージデータのサムネイル画面１１が表示される。
【００８７】
図８は、本実施の形態に係るイメージ表示システム１の動作の一例を示すフローチャートである。
【００８８】
ステップＳ１において、読み出し部５ａは、記録装置２に記録されている意匠公報データを読み出す。読み出される意匠公報データは、検索によって抽出された意匠公報データであってもよい。
【００８９】
ステップＳ２において、設定受付部５ｂは、目次一覧画面６を表示し、読み出された意匠公報データの全てについてイメージデータを表示するか、ユーザによって選択された意匠公報データのイメージデータを表示するか、一画面上に表示するイメージデータ数、代表図の表示又は斜視図の表示など、ユーザ設定を受け付ける。
【００９０】
ステップＳ３において、代表表示部５ｃ及び斜視図表示部５ｄは、代表図の表示又は斜視図の表示のいずれが設定されたか判断する。
【００９１】
代表図表示が設定された場合、ステップＳ４において、代表表示部５ｃは、設定にしたがって意匠公報データから代表タグの付されたイメージデータを選択し、表示する。
【００９２】
斜視図表示が設定された場合、ステップＳ５において、斜視図表示部５ｄは、設定にしたがって意匠公報データから斜視図タグの付されたイメージデータを選択し、表示する。
【００９３】
ステップＳ６において、イメージ表示システム１は、ユーザの操作を受け付ける。
【００９４】
終了命令を受け付けた場合、イメージ表示システム１の処理は終了する。
【００９５】
表示するイメージデータの種別の変更命令を受け付けた場合、上記ステップＳ３に処理が戻る。
【００９６】
並び替え命令を受け付けた場合、ステップＳ７において、並び替え表示部５ｅは、ユーザの指示にしたがってイメージデータの配置を変更する。例えば、ユーザによって指定されたイメージデータのみを集めて表示する。また、例えばユーザによって指定された２つのイメージデータの表示位置を入れ替える。
【００９７】
ページ送り命令又はページ送り中止命令を受け付けた場合、ステップＳ８において、代表表示部５ｃ又は斜視図表示部５ｄは、所定の期間経過毎に表示するページを変更するか又はページの変更を中止する。
【００９８】
イメージデータ上にマウスポインタがある場合、ステップＳ９において、書誌表示部５ｆは、マウスポインタによって指定されているイメージデータと同一の意匠公報データに含まれる書誌データを表示する。
【００９９】
文献イメージ表示命令とイメージデータの指定とを受け付けた場合、ステップＳ１０において、文献イメージ表示部５ｇは、指定されたイメージデータと同一の意匠公報データに含まれている全てのイメージデータを一覧表示する。
【０１００】
文献表示命令とイメージデータの指定とを受け付けた場合、ステップＳ１１において、文献表示部５ｈは、指定されたイメージデータと同一の意匠公報データに含まれている全てのデータを表示する。
【０１０１】
サムネイル命令とイメージデータの指定とを受け付けた場合、ステップＳ１２において、サムネイル部５ｉは、指定されたイメージデータと同一の意匠公報データに含まれているイメージデータについてのサムネイル画面を表示し、ユーザの指示にしたがってイメージデータの変換を行う。
【０１０２】
上記ステップＳ７〜Ｓ１２の処理が終了した後は、上記ステップＳ６の処理に戻る。
【０１０３】
以上説明した本実施の形態においては、複数の意匠公報データについてイメージデータが対比可能に表示される。また、イメージデータの対比は、代表図でも斜視図でも行うことができる。
【０１０４】
また、本実施の形態においては、ユーザがしおりタグを付して自由にイメージデータの一覧表示の並び替えを行うことができる。
【０１０５】
また、本実施の形態においては、一画面上に表示するイメージデータの数はユーザが自由に設定可能である。
【０１０６】
したがって、複数の意匠公報データに含まれるイメージデータについて、ユーザは容易に対比作業を行うことができる。
【０１０７】
また、本実施の形態においては、表示されるイメージデータが一画面内に表示可能な数よりも多い場合に、一定のタイミングでページが切り替えられる。
【０１０８】
したがって、対比するイメージデータの数が多い場合にユーザの対比作業の労力が軽減される。
【０１０９】
また、本実施の形態においては、イメージデータに関連する書誌データ、イメージデータと同一の意匠公報データに含まれる他のイメージデータなどが簡単な作業により表示される。
【０１１０】
したがって、ユーザは、複数の意匠公報データに含まれる各種データを用いて意匠公報データの対比作業を容易に行うことができる。
【０１１１】
なお、本実施の形態に係るイメージ表示システム１に具備される各構成要素は、同様の動作を実現可能であれば配置を変更させてもよく、また各構成要素を自由に組み合わせてもよく、各構成要素を自由に分割してもよい。
【０１１２】
また、本実施の形態に係るイメージ表示システム１は複数の計算機により構成され、イメージ表示プログラム５は複数の計算機に分散して配置され、互いに連携を取りつつ処理を実行するとしてもよい。
【０１１３】
本実施の形態に係るイメージ表示プログラム５は、例えば磁気ディスク（フレキシブルディスク、ハードディスク等）、光ディスク（ＣＤ−ＲＯＭ、ＤＶＤ等）、半導体メモリなどの記録媒体４に書き込み、計算機に適用可能である。またイメージ表示プログラム５は、通信媒体により伝送して計算機に適用することも可能である。計算機は、イメージ表示プログラム５を読み込み、イメージ表示プログラム５によって動作が制御されることにより、上記の機能を実現する。
【０１１４】
【発明の効果】
以上詳記した本発明においては、ユーザは、複数の文献データに含まれているイメージデータの対比作業を容易に行うことができる。
【図面の簡単な説明】
【図１】本発明の実施の形態に係るイメージ表示システムの構成の一例を示すブロック図。
【図２】目次一覧画面から斜視図一覧画面への遷移の一例を示す図。
【図３】斜視図一覧画面からイメージデータの並び替え後の斜視図一覧画面への遷移の一例を示す図。
【図４】ページ送り命令の受け付け前後の斜視図一覧画面の一例を示す図。
【図５】斜視図一覧画面７から文献イメージ表示画面９への遷移の一例を示す図。
【図６】文献表示画面の一例を示す図。
【図７】サムネイル画面の一例を示す図。
【図８】同実施の形態に係るイメージ表示システムの動作の一例を示すフローチャート。
【符号の説明】
１…イメージ表示システム
２…記録装置
３１〜３ｎ…意匠公報データ
４…記録媒体
５…イメージ表示プログラム
５ａ…読み出し部
５ｂ…設定受付部
５ｃ…代表表示部
５ｄ…斜視図表示部
５ｅ…並び替え表示部
５ｆ…書誌表示部
５ｇ…文献イメージ表示部
５ｈ…文献表示部
５ｉ…サムネイル部
【図１】
2004213482.tif 000003
【図２】
2004213482.tif 000004
【図３】
2004213482.tif 000005
【図４】
2004213482.tif 000006
【図５】
2004213482.tif 000007
【図６】
2004213482.tif 000008
【図７】
2004213482.tif 000009
【図８】
2004213482.tif 000010